(57)【要約】【課題】収納部におけるデッドスペースを有効に利用することができる収納部を提供すること。【解決手段】キャビネットの本体の内部に収納された収納位置と該収納位置から前記本体の外方に向けて引き出された引出位置との間で前後方向に移動自在に設けられ、上面が開口する略箱状に形成されてなる収納部１０であって、前記収納部の左右側面を構成する左右一対の側板１４ａ，１４ｂのうち少なくとも一方の側板１４ａまたは１４ｂの内部若しくは直上に、主収納部Ｓ１とは別個の副収納部Ｓ２の少なくとも一部が設けられている。【選択図】図２
2008245913.tif 000002
【特許請求の範囲】
【請求項１】
キャビネットの本体の内部に収納された収納位置と該収納位置から前記本体の外方に向けて引き出された引出位置との間で前後方向に移動自在に設けられ、上面が開口する略箱状に形成されてなる収納部であって、
前記収納部の左右側面を構成する左右一対の側板のうち少なくとも一方の側板の内部若しくは直上に、主収納部とは別個の副収納部の少なくとも一部が設けられていることを特徴とするキャビネット収納部。
【請求項２】
前記副収納部は、前記側板の長手方向にわたり延設されていることを特徴とする請求項１に記載のキャビネット収納部。
【請求項３】
前記副収納部における物品の出入口の少なくとも一部は、前記側板の上端面もしくはその直上に配置されていることを特徴とする請求項１または２に記載のキャビネット収納部。
【請求項４】
前記副収納部には、該副収納部内に収納された収納物を前後方向に傾斜した状態で保持する傾斜支持手段が設けられていることを特徴とする請求項１ないし３のいずれかに記載のキャビネット収納部。
【請求項５】
前記副収納部は、前記側板に対して着脱自在に設けられていることを特徴とする請求項１ないし４のいずれかに記載のキャビネット収納部。
【発明の詳細な説明】
【技術分野】
【０００１】
本発明は、キッチンにおけるキャビネット収納部に関する。
【背景技術】
【０００２】
従来のキッチンにおけるキャビネットの収納部は、例えば、底板の左右両側に位置する一対の側板と、これら側板と底板の後部に位置する後板と、後板に対向してこれら側板と底板の前部に連結部材を介して位置する前板とから構成された引き出しであり、更に後板と前板の左右両端にはフレームが渡設されているとともに、これらフレームの前部間には横行フレームが前後方向に位置調整可能な状態で取り付けられており、底板から突出している連結部材先端と前板間で収納物として、例えば包丁及び俎板を収納し、更に横行フレームで包丁と俎板が背面方向に倒れ込まないように支持しているとともに、側方からも収納物を取り出し易くしている（例えば、特許文献１参照）。
【０００３】
【特許文献１】特開２００５−３３４１０２号公報（第７頁、第４図）
【発明の開示】
【発明が解決しようとする課題】
【０００４】
しかしながら、特許文献１に記載の引き出しにあっては、収納物を収納するスペースは左右の側板間に制限されるばかりか、側板の上方はフレームが設けられているだけの空間であり、収納に活用されることがないデッドスペースとなっていた。
【０００５】
本発明は、このような問題点に着目してなされたもので、収納部におけるデッドスペースを有効に利用することができる収納部を提供することを目的とする。
【課題を解決するための手段】
【０００６】
前記課題を解決するために、本発明の請求項１に記載のキャビネット収納部は、
キャビネットの本体の内部に収納された収納位置と該収納位置から前記本体の外方に向けて引き出された引出位置との間で前後方向に移動自在に設けられ、上面が開口する略箱状に形成されてなる収納部であって、
前記収納部の左右側面を構成する左右一対の側板のうち少なくとも一方の側板の内部若しくは直上に、主収納部とは別個の副収納部の少なくとも一部が設けられていることを特徴としている。
この特徴によれば、側板の内部もしくは側板の直上に副収納部が設けられることで、主収納部の収納スペースを削減したり、収納部の幅寸法を広げたりすることなく、側板の内部や側板直上のデッドスペースを有効に活用して収納スペースを形成することができる。
【０００７】
本発明の請求項２に記載のキャビネット収納部は、請求項１に記載のキャビネット収納部であって、
前記副収納部は、前記側板の長手方向にわたり延設されていることを特徴としている。
この特徴によれば、主収納部の収納スペースを削減することなく、副収納部を極力大きく設けることができる。
【０００８】
本発明の請求項３に記載のキャビネット収納部は、請求項１ないし２のいずれかに記載のキャビネット収納部であって、
前記副収納部における物品の出入口の少なくとも一部は、前記側板の上端面もしくはその直上に配置されていることを特徴としている。
この特徴によれば、副収納部に収納物を収納する際や、収納物の一部が出入口から突出しても、主収納部に収納された収納物の邪魔になることがない。
【０００９】
本発明の請求項４に記載のキャビネット収納部は、請求項１ないし３のいずれかに記載のキャビネット収納部であって、
前記副収納部には、該副収納部内に収納された収納物を前後方向に傾斜した状態で保持する傾斜支持手段が設けられていることを特徴としている。
この特徴によれば、長尺な収納物であっても効率よく収納することができる。
【００１０】
本発明の請求項５に記載のキャビネット収納部は、請求項１ないし４のいずれかに記載のキャビネット収納部であって、
前記副収納部は、前記側板に対して着脱自在に設けられていることを特徴としている。
この特徴によれば、既存の側板を利用して副収納部を容易に設けることができるばかりか、取り外すことで清掃等も容易に行うことができる。
【発明を実施するための最良の形態】
【００１１】
本発明に係るキャビネット収納部を実施するための最良の形態を実施例に基づいて以下に説明する。
【実施例１】
【００１２】
本発明の実施例を図面に基づいて説明すると、先ず図１は、本発明の実施例１におけるシステムキッチンの全体像を示す斜視図であり、図２は、引出収納部を示す斜視図であり、図３は、図２における引出収納部を示すＡ−Ａ破断断面図であり、図４は、図２における引出収納部を示すＢ−Ｂ側面断面図である。以下、図３の紙面手前側を引出収納部の正面側とし、図４の紙面左側を引出収納部の正面側として説明する。
【００１３】
図１の符号１は、本発明の引出収納部１０が適用された、本実施例におけるキャビネットの本体であるシステムキッチンである。このシステムキッチン１について説明すると、システムキッチン１の上部右側には使用者が食器等を洗うのに使用するシンク部２が設けられており、上部中央はシステムキッチン１上での作業スペース３、上部左側は調理を行うためのコンロ部４が設けられている。
【００１４】
また、システムキッチン１の下部は食器や食材等を収納しておくための収納部５が設けられている。具体的には、シンク部２の下部には本実施例におけるキャビネット収納部としての引出収納部６，７、作業スペース３の下部には引出収納部８，９，１０、コンロ部４の下部には引出収納部１１，１２がそれぞれ上下に連設されている。以下、この収納部５に設けられた本発明である引出収納部１０について説明する。
【００１５】
以下、引出収納部１０がシステムキッチン１の収納部５内に取り付けられている状態において、引出収納部１０の右側とは、使用者がシステムキッチン１の正面側に立って右側のことであり、引出収納部１０の左側とは、使用者がシステムキッチン１の正面側に立って左側のことであり、引出収納部１０の背面側とは、システムキッチン１を挟んで正面側と対向する側のことであるものとする。
【００１６】
図２に示すように、引出収納部１０は、底板１３と、この底板１３の左右両端に取り付けられる一対の側板１４ａ，１４ｂと、これら底板１３と側板１４ａ，１４ｂの後端に取り付けられる後板１５と、これら底板１３と側板１４ａ，１４ｂの前端に取り付けられる前板１６とを備え、更に、前板１６の正面には使用者が掴む把手１７が取り付けられており、上面が開口した略四角箱状に形成されている。
【００１７】
そして、引出収納部１０におけるこれら底板１３、左右一対の側板１４ａ，１４ｂ、後板１５、前板１６とにより囲まれた空間が引出収納部１０における主収納部Ｓ１とされている。また、前板１６の上下寸法は、側板１４ａ，１４ｂ及び後板１５の上下寸法よりも長く形成されている。
【００１８】
図３に示すように、側板１４ａ，１４ｂはアルミやステンレス等の板材の曲げ加工により形成された部材であり、その内部は中空となっている。更に、側板１４ａ，１４ｂの下部にはスライドレール１８が設けられている。
【００１９】
これらのスライドレール１８内には、一端側がシステムキッチン１の収納部５を縦に仕切る本体側の仕切板２０に螺子２１で螺着された板片１９の屈曲された他端側が摺動可能に係合されており、これらスライドレール１８及び板片１９により、引出収納部１０はシステムキッチン１の本体に対して前後方向に移動自在に案内されている。
【００２０】
また、図２及び図３に示すように、側板１４ａ，１４ｂの内部には副収納部Ｓ２が形成されている。つまり、副収納部Ｓ２は、側板１４ａ，１４ｂを構成する板材により主収納部Ｓ１とは別個に区画された状態で設けられている。この副収納部Ｓ２の上端面、すなわち、側板１４ａ，１４ｂ上面には、収納物を出し入れするための出入口２３が長手方向（前後方向）に向けて複数形成されており、収納物の一例としての包丁２５等の刃体２５ａを収納及び取り出しできるようになっている。以下、側板１４ａ，１４ｂの構成は同一につき、右側の側板１４ａのみ説明する。
【００２１】
各出入口２３は、図２に示されるように前後方向に延びる長方形状に形成されており、包丁２５を刃体２５ａ先から挿入させることにより、刃体２５ａのみを副収納部Ｓ２内に収納することができるとともに、包丁２５の柄２５ｂが一点鎖線で囲まれたデッドスペースであった側板１４ａの上方空間２６（図３参照）に位置するように収納できるようになっている。
【００２２】
このように、主収納部Ｓ１の側面を構成する側板１４ａの内部に副収納部Ｓ２を形成することで、主収納部Ｓ１の収納スペースを削減したり、引出収納部１０の左右幅寸法を広げたりすることなく、側板１４ａの内部及びその直上のデッドスペースである上方空間２６を有効に活用して新たな収納スペースを形成することができる。また、副収納部Ｓ２は、側板１４ａの長手方向にわたり延設されているため、主収納部Ｓ１の左右幅を削減することなく、副収納部Ｓ２を奥行き方向に向けて極力大きく設けることができる。
【００２３】
また、側板１４ａの上面にスリット状の出入口２３が形成されることで、包丁２５が起立姿勢で保持されるため、図３に示されるように収納された状態において包丁２５の一部が出入口２３から上方に突出しても、主収納部Ｓ１に収納される収納物の出し入れの邪魔になることがないとともに、出入口２３を介して収納された包丁２５の側板１４ａの上方空間２６を、副収納部Ｓ２内に収納した収納物の一部を配置可能な収納スペースとして活用することができる。
【００２４】
特に、副収納部Ｓ２は、縦長で、かつ、前後方向に向けて細長に形成されるとともに、各出入口２３は前後方向に細長に形成されていることで、包丁２５等の薄状収納物を、側板１４ａに沿って、かつ、前後方向に向けて起立姿勢で効率よく収納することができるため、該薄状収納物の出し入れの際や、収納された状態において、主収納部Ｓ１の収納物等の邪魔になることがない。すなわち、主収納部Ｓ１に収納された収納物の出し入れの際に副収納部Ｓ２に収納された収納物が邪魔になることもない。さらに、各出入口２３は長手方向（奥行き方向）に向けて複数形成されていることで、引出収納部１０を引き出すだけで各出入口２３が外部に露呈されるので、包丁２５等の出し入れを容易に行うことができる。
【００２５】
更に、図３及び図４に示すように、側板１４ａの内部に形成された副収納部Ｓ２には、側板１４ａ上面に形成されたそれぞれの出入口２３下方の若干後方側において、左右の内側面にかけて傾斜支持手段としての傾斜支持部材２７が前後方向に複数渡設されている。この傾斜支持部材２７には出入口２３から副収納部Ｓ２内に収納された包丁２５の刃体２５ａの刃部が当接されるとともに、包丁２５の柄２５ｂが側板１４ａの上面で係止されていることにより、柄２５ｂと側板１４ａの上面とで接する部分が支点となり、包丁２５の柄２５ｂが前方に向かって傾斜している。
【００２６】
この傾斜支持部材２７により包丁２５を前方に傾斜した状態で収納することで、前板１６の上下寸法以上の上下寸法を有する包丁２５であっても、側板１４ａ内に収納することができるばかりか、使用者が引出収納部１０を把手１７を掴んで引き出した際に、包丁２５が前方に傾斜して収納されていることで、引出収納部１０の前方側から容易に包丁２５の出し入れを行うことができる。
【００２７】
尚、傾斜支持部材２７は複数を前後方向に連設することにより、包丁２５を前方に向かって傾斜させる他、各出入口２３ごとに設けられた傾斜支持部材２７の後方の傾斜支持部材２７を利用して、使用者が引出支持部１０を前後方向に移動させたときに生じる慣性力等によって過度に前方に傾斜しないよう、つまり完全に倒伏しないように傾斜角度を規制することができる。
【００２８】
具体的には、包丁２５が過度に前方に傾斜すると、柄２５ｂと側板１４ａの上面とで接する部分を支点として刃体２５ａが図４に示すように、黒矢印方向に回動される。このとき、刃体２５ａの背が後方の傾斜支持部材２７に当接し、これにより包丁２５の前方への過度の傾斜が規制される。このように、長尺な包丁２５等の収納物であっても、出し入れが容易になるように、つまり完全に倒伏させて上下に積み重ならないように収納することができる。
【００２９】
尚、最後端の出入口２３から副収納部Ｓ２に収納された包丁２５のみは、傾斜支持部材２７の代わりに、後板１５の正面に刃体２５ａの背を当接させることにより過度の前方への傾斜が規制される。すなわち、傾斜支持部材２７として後板１５を利用することができる。
【実施例２】
【００３０】
次に、実施例２に係る引出収納部１０’につき、図５及び図６を参照して説明する。尚、前記実施例と同一構成で重複する構成を省略する。
【００３１】
図５は、実施例２における引出収納部を示す斜視図であり、図６は、引出収納部に取り付けられた補助収納部を示す一部破断断面図である。
【００３２】
図５に示す引出収納部１０’は、使用者が収納部５から把手１７を掴んで引き出した際に、側方からも引出収納部１０’内の食器や食材等の収納物を取り出し易いように上下寸法が短い側板１４ａ’，１４ｂ’が取り付けられており、これら側板１４ａ’，１４ｂ’同士が対向する面はその上端にかけて緩やかな曲面に形成されている。また、側板１４ａ’，１４ｂ’の上方には前後端が前板１６及び後板１５に支持された円筒状のフレーム２８ａ，２８ｂが前後方向に渡設されている。
【００３３】
また、このフレーム２８ａ，２８ｂには、内部に副収納部Ｓ２，Ｓ３が形成された副収納体２９ａ，２９ｂが取り付けられる。以下、左のフレーム２８ｂに取り付けられた副収納体２９ｂと右のフレーム２８ａに取り付けられた副収納体２９ａは同一構成につき、右のフレーム２８ａに取り付けられる副収納体２９ａについて説明する。
【００３４】
図５及び図６に示すように、副収納体２９ａは、引出収納部１０’本体とは別個に形成されており、その右上端部には前後方向にかけてフレーム２８ａに嵌合する嵌合凹部３０が形成され、この嵌合凹部３０を図５の上方である白矢印方向からフレーム２８ａに嵌合させることで、副収納体２９ａを引出収納部１０’の側板１４ａ’に対して着脱自在に取り付けできる。
【００３５】
副収納体２９ａの右下端部には側板１４ａ’の曲面と前後方向にかけて密接する当接凹部３１に形成されており、この側板１４ａ’の曲面と副収納体２９ａの当接凹部３１が当接されることにより、フレーム２８ａに上方から嵌合凹部３０が嵌合された副収納体２９ａを安定させることができる。
【００３６】
また、副収納体２９ａの内部には、側板１４ａ’の直上に配置される副収納部Ｓ２と、該副収納部Ｓ２の内側に配置される副収納部Ｓ３と、が仕切り板３２を挟んで左右に形成されており、該副収納部Ｓ２は、その上面に形成された前後方向に延びる出入口２３ａ’ により外部と連通されているとともに、副収納部Ｓ３は、左面上部から上面までを連続して開口した出入口２３ｂ’により外部と連通されている。
【００３７】
このように構成された副収納体２９ａを側板１４ａ’の上方に渡設されたフレーム２８ａに取り付けることにより、側板１４ａ’の形状に関わらず、既存の側板１４ａ’上方に副収納部の少なくとも一部である副収納部Ｓ２を簡単に設けることができるので、デッドスペースであった側板１４ａ’の上方空間２６’を、例えば菜箸３３ａや図示しないスプーン、フォーク等を縦向きに収納するスペースとして有効に活用できる。また、副収納体２９ａは引出収納部１０’の本体に対して着脱自在に設けられているため、清掃の際や不要な場合には簡単に取り外すことができる。
【００３８】
また、副収納部Ｓ２の出入口２３ａ’は、少なくともその一部が側板１４ａ’の直上に形成されているため、副収納部Ｓ２に収納物を収納する際や、収納物の一部が出入口２３ａ’から突出しても、主収納部Ｓ１に収納された収納物の邪魔になることがない。
【００３９】
また、その内側に前後方向に延びる細長の副収納部Ｓ３を一体に形成しておくことで、図６に示すように、薄状収納物の一例である俎板３３ｂや食器皿３４（図５参照）等を側板１４ａ’に沿うように起立姿勢で収納することができる。尚、副収納部Ｓ２と副収納部Ｓ３とは仕切り板３２を介して区画されていたが、一体に設けられていてもよい。
【実施例３】
【００４０】
次に、実施例３に係る引出収納部につき、図７を参照して説明する。尚、前記実施例に示される構成部分と同一構成部分に付いては同一符号を付して重複する説明を省略する。
【００４１】
図７は、実施例３における引出収納部を示す斜視図である。
【００４２】
図７に示すように、引出収納部１０’’は、底板１３、側板１４ａ，１４ｂ、後板１５、前板１６’とで構成されており、上述と同様に、例えば食器や食材等を収納するためにシステムキッチンの所定箇所に設けられる。更にこの前板１６’は、正面側が開口した略箱状の枠体３９と、この枠体３９の下端に回動可能に枢支され枠体３９の開口を開閉するフロントパネル３６と、から主として成る。そして、フロントパネル３６の正面に取付けられた把手１７を前後方向に回動させることにより開閉して収納物を収納可能な収納部の他の一例としてのドアポケット３５が、フロントパネル３６と枠体３９とで囲まれた主収納部Ｓ１’として形成されている。
【００４３】
このフロントパネル３６の背面は、特に図示しないが、調理器具や調味料等を収納可能なポケットが取り付けられており、フロントパネル３６を開閉することで出し入れすることができる。
【００４４】
また、前板１６’のフロントパネル３６によって開閉される内側正面には、フロントパネル３６の背面に取り付けられたポケットに対向して、調理器具等を吊持可能な小孔を多数備えた吊持収納部３７が設けられており、その左右端は上下方向に長いスリット３８が形成されている。
【００４５】
更に、フロントパネル３６の背面左右端に、側面視略扇状の側板１４ａ’’，１４ｂ’’が固着されており、フロントパネル３６を枠体３９に対して前後に回動させることで、この側板１４ａ’’，１４ｂ’’が前後に開閉するとともに、吊持収納部３７が開閉可能となっている。
【００４６】
そして、この側板１４ａ’’，１４ｂ’’も内部が中空状に形成されて、主収納部Ｓ１’とは別個に副収納部Ｓ２が設けられており、該側板１４ａ’’，１４ｂ’’の上面、すなわち副収納部Ｓ２の上面には出入口２３’’が長手方向にわたり複数形成されており、この出入口２３’’に包丁２５を挿入し、フロントパネル３６を閉めることで、包丁２５をドアポケット３５内部に収納することができる。尚、このときの包丁２５の柄はスリット３８内の側板１４ａ’’，１４ｂ’’の上方空間に位置するので、デッドスペースである側板１４ａ’’，１４ｂ’’の上方空間を活用することができる。
【００４７】
また、フロントパネル３６を開いた際には、包丁２５が予め傾斜された状態となっているので、使用者は出入口２３’’から容易に包丁２５を出し入れすることができる。
【００４８】
このように副収納部Ｓ２は、ドアポケット３５のように、フロントパネル３６と枠体３９とで囲まれた主収納部Ｓ１’とは別個に設けられるものであってもよい。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記第１実施例では、側板１４ａ，１４ｂをアルミやステンレス等の板材の曲げ加工により形成された部材であり、その内部は中空となっているとしたが、例えば木材や樹脂等の肉厚の部材でもよく、副収納部Ｓ２を出入口２３から連通する穴として形成してもよく、更にその穴自体を包丁２５を前方に向けて傾斜するように形成してもよい。
【００５１】
また、前記実施例では、側板１４ａ，１４ｂの上端面または直上に出入口２３が形成されていたが、外面等に設けられていてもよい。
【００５２】
また、副収納部Ｓ２は、必ずしも側板１４ａ，１４ｂの長手方向にわたり連続的に設けられていなくてもよく、例えば側板の前部付近にのみ設けられていてもよい。
【００５３】
また、副収納部Ｓ２は、側板１４ａ，１４ｂの内部または直上にその少なくとも一部が設けられていれば、必ずしも収納部の全体が側板１４ａ，１４ｂの内部または直上に設けられていなくてもよい。
【００５４】
また、出入口２３を介して副収納部Ｓ２に収納する収納物は、包丁２５、俎板３３ｂ、食器３４に限らず、他の調理器具、盛付容器等であっても構わない。
【００５５】
また、前記第2実施例では、副収納部Ｓ２がフレーム２８ａ，２８ｂに取り付けられているが、例えば、フレーム２８ａ，２８ｂがない場合でも、副収納部Ｓ２を側板１４ａ’，１４ｂ’、後板１５、前板１６のいずれか一つ、または複数と着脱自在に取り付けできる構造であってもよい。
【図面の簡単な説明】
【００５６】
【図１】本発明の実施例１におけるシステムキッチンの全体像を示す斜視図である。
【図２】引出収納部を示す斜視図である。
【図３】図２における引出収納部を示すＡ−Ａ破断断面図である。
【図４】図２における引出収納部を示すＢ−Ｂ側面断面図である。
【図５】実施例２における引出収納部を示す斜視図である。
【図６】引出収納部に取り付けられた副収納部を示す一部破断断面図である。
【図７】実施例３における引出収納部を示す斜視図である。
【符号の説明】
【００５７】
１                システムキッチン
１０              引出収納部（収納部）
１４ａ，１４ｂ    側板
１５              後板
１６，１６’      前板
１７              把手
２３，２３’      出入口
２５              包丁（収納物）
２６，２６’      上方空間
２７              傾斜支持部材（傾斜支持手段）
３０              嵌合凹部
３１              当接凹部
３５              ドアポケット（収納部）
Ｓ１              主収納部
Ｓ２              副収納部
【図１】
2008245913.tif 000003
【図２】
2008245913.tif 000004
【図３】
2008245913.tif 000005
【図４】
2008245913.tif 000006
【図５】
2008245913.tif 000007
【図６】
2008245913.tif 000008
【図７】
2008245913.tif 000009